(57)【要約】  本発明にかかる通信方法は、マルチキャリア変復調方式を採用する無線通信システムにおいて、送信データ列に対して、列次数が不均一でかつ列次数の高い順に列を配置したパリティ検査行列を使用してＬＤＰＣ符号化を行う場合の通信方法であって、無線送信の単位である無線リソースブロックに対して割り当て可能なデータビット数に応じて、符号語を複数のデータ列に分割する符号語分割ステップと、前記分割後のデータ列のうち、列次数のより高いデータ列を、より品質の良好な無線リソースブロックに割り当てるリソース割り当てステップと、を含むことを特徴とする。
2007080727.tif 000002
【特許請求の範囲】
【請求項１】
無線通信システムにおいて、送信データ列に対して、列次数が不均一でかつ列次数の高い順に列を配置したパリティ検査行列を使用してＬＤＰＣ（low  density  parity  check）符号化を行う場合の通信方法であって、
無線送信の単位である無線リソースブロックに対して割り当て可能なデータビット数に応じて、符号語を複数のデータ列に分割する符号語分割ステップと、
前記分割後のデータ列のうち、列次数のより高いデータ列を、より品質の良好な無線リソースブロックに割り当てるリソース割り当てステップと、
を含むことを特徴とする通信方法。
【請求項２】
前記品質を、通信相手となる装置にて測定された回線品質とすることを特徴とする請求項１に記載の通信方法。
【請求項３】
前記より品質の良好な無線リソースブロックを、システムとして使用可能な周波数領域における中央付近の無線リソースブロックとすることを特徴とする請求項１に記載の通信方法。
【請求項４】
各無線リソースブロックにデータシンボルを配置する場合、品質を測定するための既知信号が配置される位置の周辺に、列次数のより高いデータシンボルを配置することを特徴とする請求項１に記載の通信方法。
【請求項５】
各無線リソースブロックにデータシンボルを配置する場合、無線リソースブロックの中央周辺に、列次数のより高いシンボルを配置することを特徴とする請求項１に記載の通信方法。
【請求項６】
各無線リソースブロックにデータシンボルを配置する場合、無線リソースブロックにおける時間方向の中央周辺に、列次数の高いシンボルを配置することを特徴とする請求項１に記載の通信方法。
【請求項７】
各無線リソースブロックにデータシンボルを配置する場合、無線リソースブロックにおける周波数方向の中央周辺に、列次数の高いシンボルを配置することを特徴とする請求項１に記載の通信方法。
【請求項８】
複数系統の送信データ系列を送信する場合、
前記符号語分割ステップと前記リソース割り当てステップとを系統毎に個別に実行することを特徴とする請求項１〜７のいずれか一つに記載の通信方法。
【請求項９】
前記各系統のＱｏＳが異なる場合は、より優先度の高い送信データ系列を、より品質の良好な無線リソースブロックに対して割り当てることを特徴とする請求項８に記載の通信方法。
【請求項１０】
前記各系統のＱｏＳが同等の場合は、それぞれの系統における列次数の高いデータ列を、より品質の良好な無線リソースブロックに対して割り当てることを特徴とする請求項８に記載の通信方法。
【請求項１１】
無線通信システムにおいて、送信データ列に対して、列次数が不均一でかつ列次数の高い順に列を配置したパリティ検査行列を使用してＬＤＰＣ（low  density  parity  check）符号化を行う場合の通信方法であって、
無線リソースブロックにデータシンボルを配置する場合、品質を測定するための既知信号が配置される位置の周辺に、列次数のより高いデータシンボルを配置することを特徴とする通信方法。
【請求項１２】
無線通信システムにおいて、送信データ列に対して、列次数が不均一でかつ列次数の高い順に列を配置したパリティ検査行列を使用してＬＤＰＣ（low  density  parity  check）符号化を行う場合の通信方法であって、
無線リソースブロックにデータシンボルを配置する場合、無線リソースブロックの中央周辺に、列次数のより高いシンボルを配置することを特徴とする通信方法。
【請求項１３】
無線通信システムにおいて、送信データ列に対して、列次数が不均一でかつ列次数の高い順に列を配置したパリティ検査行列を使用してＬＤＰＣ（low  density  parity  check）符号化を行う場合の通信方法であって、
無線リソースブロックにデータシンボルを配置する場合、無線リソースブロックにおける時間方向の中央周辺に、列次数の高いシンボルを配置することを特徴とする通信方法。
【請求項１４】
無線通信システムにおいて、送信データ列に対して、列次数が不均一でかつ列次数の高い順に列を配置したパリティ検査行列を使用してＬＤＰＣ（low  density  parity  check）符号化を行う場合の通信方法であって、
無線リソースブロックにデータシンボルを配置する場合、無線リソースブロックにおける周波数方向の中央周辺に、列次数の高いシンボルを配置することを特徴とする通信方法。
【請求項１５】
無線通信システムにおいて、送信データ列に対して、列次数が不均一でかつ列次数の高い順に列を配置したパリティ検査行列を使用してＬＤＰＣ（low  density  parity  check）符号化を行う通信装置であって、
無線リソース割り当て処理を実行するスケジューラ手段と、
前記スケジューラ手段から得られる、無線送信の単位である無線リソースブロックに対して割り当て可能なデータビット数に基づいて、符号語を複数のデータ列に分割し、さらに、分割後のデータ列のうち、列次数のより高いデータ列を、より品質の良好な無線リソースブロックに割り当てる無線リソース割り当て手段と、
を備えることを特徴とする通信装置。
【請求項１６】
前記品質を、通信相手となる装置にて測定された回線品質とすることを特徴とする請求項１５に記載の通信装置。
【請求項１７】
前記より品質の良好な無線リソースブロックを、システムとして使用可能な周波数領域における中央付近の無線リソースブロックとすることを特徴とする請求項１５に記載の通信装置。
【請求項１８】
前記無線リソース割り当て手段は、各無線リソースブロックにデータシンボルを配置する場合、品質を測定するための既知信号が配置される位置の周辺に、列次数のより高いデータシンボルを配置することを特徴とする請求項１５に記載の通信装置。
【請求項１９】
前記無線リソース割り当て手段は、各無線リソースブロックにデータシンボルを配置する場合、無線リソースブロックの中央周辺に、列次数のより高いシンボルを配置することを特徴とする請求項１５に記載の通信装置。
【請求項２０】
前記無線リソース割り当て手段は、各無線リソースブロックにデータシンボルを配置する場合、無線リソースブロックにおける時間方向の中央周辺に、列次数の高いシンボルを配置することを特徴とする請求項１５に記載の通信装置。
【請求項２１】
前記無線リソース割り当て手段は、各無線リソースブロックにデータシンボルを配置する場合、無線リソースブロックにおける周波数方向の中央周辺に、列次数の高いシンボルを配置することを特徴とする請求項１５に記載の通信装置。
【請求項２２】
複数系統の送信データ系列に対応して前記無線リソース割り当て手段を複数備え、
前記無線リソース割り当て手段の処理を系統毎に個別に実行することを特徴とする請求項１５〜２１のいずれか一つに記載の通信装置。
【請求項２３】
前記各系統のＱｏＳが異なる場合は、より優先度の高い送信データ系列を、より品質の良好な無線リソースブロックに対して割り当てることを特徴とする請求項２２に記載の通信装置。
【請求項２４】
前記各系統のＱｏＳが同等の場合は、それぞれの系統における列次数の高いデータ列を、より品質の良好な無線リソースブロックに対して割り当てることを特徴とする請求項２２に記載の通信装置。
【請求項２５】
無線通信システムにおいて、送信データ列に対して、列次数が不均一でかつ列次数の高い順に列を配置したパリティ検査行列を使用してＬＤＰＣ（low  density  parity  check）符号化を行う通信装置であって、
無線リソースブロックにデータシンボルを配置する場合、品質を測定するための既知信号が配置される位置の周辺に、列次数のより高いデータシンボルを配置することを特徴とする通信装置。
【請求項２６】
無線通信システムにおいて、送信データ列に対して、列次数が不均一でかつ列次数の高い順に列を配置したパリティ検査行列を使用してＬＤＰＣ（low  density  parity  check）符号化を行う通信装置であって、
無線リソースブロックにデータシンボルを配置する場合、無線リソースブロックの中央周辺に、列次数のより高いシンボルを配置することを特徴とする通信装置。
【請求項２７】
無線通信システムにおいて、送信データ列に対して、列次数が不均一でかつ列次数の高い順に列を配置したパリティ検査行列を使用してＬＤＰＣ（low  density  parity  check）符号化を行う通信装置であって、
無線リソースブロックにデータシンボルを配置する場合、無線リソースブロックにおける時間方向の中央周辺に、列次数の高いシンボルを配置することを特徴とする通信装置。
【請求項２８】
無線通信システムにおいて、送信データ列に対して、列次数が不均一でかつ列次数の高い順に列を配置したパリティ検査行列を使用してＬＤＰＣ（low  density  parity  check）符号化を行う通信装置であって、
無線リソースブロックにデータシンボルを配置する場合、無線リソースブロックにおける周波数方向の中央周辺に、列次数の高いシンボルを配置することを特徴とする通信装置。
【請求項２９】
マルチキャリア変復調方式を採用する無線通信システムにおいて、送信データ列に対して、列次数が不均一でかつ列次数の高い順に列を配置したパリティ検査行列に変換できる通信路符号化を用いて符号化を行う場合の通信方法であって、
無線送信の単位である無線リソースブロックに対して割り当て可能なデータビット数に応じて、符号語を複数のデータ列に分割する符号語分割ステップと、
前記分割後のデータ列のうち、列次数のより高いデータ列を、より品質の良好な無線リソースブロックに割り当てるリソース割り当てステップと、
を含むことを特徴とする通信方法。
【請求項３０】
前記品質を、通信相手となる装置にて測定された回線品質とすることを特徴とする請求項２９に記載の通信方法。
【請求項３１】
前記より品質の良好な無線リソースブロックを、システムとして使用可能な周波数領域における中央付近の無線リソースブロックとすることを特徴とする請求項２９に記載の通信方法。
【請求項３２】
各無線リソースブロックにデータシンボルを配置する場合、品質を測定するための既知信号が配置される位置の周辺に、列次数のより高いデータシンボルを配置することを特徴とする請求項２９に記載の通信方法。
【請求項３３】
各無線リソースブロックにデータシンボルを配置する場合、無線リソースブロックの中央周辺に、列次数のより高いシンボルを配置することを特徴とする請求項２９に記載の通信方法。
【請求項３４】
各無線リソースブロックにデータシンボルを配置する場合、無線リソースブロックにおける時間方向の中央周辺に、列次数の高いシンボルを配置することを特徴とする請求項２９に記載の通信方法。
【請求項３５】
各無線リソースブロックにデータシンボルを配置する場合、無線リソースブロックにおける周波数方向の中央周辺に、列次数の高いシンボルを配置することを特徴とする請求項２９に記載の通信方法。
【請求項３６】
複数系統の送信データ系列を送信する場合、
前記符号語分割ステップと前記リソース割り当てステップとを系統毎に個別に実行することを特徴とする請求項２９〜３５のいずれか一つに記載の通信方法。
【請求項３７】
前記各系統のＱｏＳが異なる場合は、より優先度の高い送信データ系列を、より品質の良好な無線リソースブロックに対して割り当てることを特徴とする請求項３６に記載の通信方法。
【請求項３８】
前記各系統のＱｏＳが同等の場合は、それぞれの系統における列次数の高いデータ列を、より品質の良好な無線リソースブロックに対して割り当てることを特徴とする請求項３６に記載の通信方法。
【請求項３９】
マルチキャリア変復調方式を採用する無線通信システムにおいて、送信データ列に対して、列次数が不均一でかつ列次数の高い順に列を配置したパリティ検査行列に変換できる通信路符号化を用いて符号化を行う場合の通信装置であって、
無線リソース割り当て処理を実行するスケジューラ手段と、
前記スケジューラ手段から得られる、無線送信の単位である無線リソースブロックに対して割り当て可能なデータビット数に基づいて、符号語を複数のデータ列に分割し、さらに、分割後のデータ列のうち、列次数のより高いデータ列を、より品質の良好な無線リソースブロックに割り当てる無線リソース割り当て手段と、
を備えることを特徴とする通信装置。
【請求項４０】
前記品質を、通信相手となる装置にて測定された回線品質とすることを特徴とする請求項３９に記載の通信装置。
【請求項４１】
前記より品質の良好な無線リソースブロックを、システムとして使用可能な周波数領域における中央付近の無線リソースブロックとすることを特徴とする請求項３９に記載の通信装置。
【請求項４２】
前記無線リソース割り当て手段は、各無線リソースブロックにデータシンボルを配置する場合、品質を測定するための既知信号が配置される位置の周辺に、列次数のより高いデータシンボルを配置することを特徴とする請求項３９に記載の通信装置。
【請求項４３】
前記無線リソース割り当て手段は、各無線リソースブロックにデータシンボルを配置する場合、無線リソースブロックの中央周辺に、列次数のより高いシンボルを配置することを特徴とする請求項３９に記載の通信装置。
【請求項４４】
前記無線リソース割り当て手段は、各無線リソースブロックにデータシンボルを配置する場合、無線リソースブロックにおける時間方向の中央周辺に、列次数の高いシンボルを配置することを特徴とする請求項３９に記載の通信装置。
【請求項４５】
前記無線リソース割り当て手段は、各無線リソースブロックにデータシンボルを配置する場合、無線リソースブロックにおける周波数方向の中央周辺に、列次数の高いシンボルを配置することを特徴とする請求項３９に記載の通信装置。
【請求項４６】
複数系統の送信データ系列に対応して前記無線リソース割り当て手段を複数備え、
前記無線リソース割り当て手段の処理を系統毎に個別に実行することを特徴とする請求項３９〜４５のいずれか一つに記載の通信装置。
【請求項４７】
前記各系統のＱｏＳが異なる場合は、より優先度の高い送信データ系列を、より品質の良好な無線リソースブロックに対して割り当てることを特徴とする請求項４６に記載の通信装置。
【請求項４８】
前記各系統のＱｏＳが同等の場合は、それぞれの系統における列次数の高いデータ列を、より品質の良好な無線リソースブロックに対して割り当てることを特徴とする請求項４６に記載の通信装置。
【発明の詳細な説明】
【技術分野】
【０００１】
本発明は、広帯域伝送を行う無線通信システムにおいて、周波数帯域を複数のブロックに分割して、無線リソース割り当て処理を行う通信装置に関するものであり、特に、ＬＤＰＣ（low  density  parity  check）符号の特徴を利用して無線リソース割り当て処理を行う場合の通信方法に関するものである。
【背景技術】
【０００２】
たとえば、ＯＦＤＭ（Orthogonal  Frequency  Division  Multiplexing）方式を採用する従来の無線通信システムにおいて、当該システムを構成する基地局は、下記非特許文献１に従ってデータ送信を行っている。具体的には、たとえば、自局のサービスエリアに存在する端末に対してデータを送信する場合、基地局では、まず、入力データであるＬ２ＰＤＵ（Layer-2  Protocol  Data  Unit）に対して誤り検出のためのＣＲＣ（Cyclic  Redundancy  Check）ビットを付加し（CRC  Attachment）、つぎに、ＣＲＣ付加後のデータに対して誤り訂正符号化（ターボ符号等の既知の符号化処理）を行う（Channel  coding）。つぎに、基地局では、次回の送信が初送データの送信か再送データの送信かを選択し（HARQ  functionality  including  adaptive  coding  rate）、さらに、物理チャネル分割（Physical  channel  segmentation）、すなわち、システムにより使用可能な周波数領域をスケジューラから指示された無線リソースブロック数に分割し、上記で選択したデータの送信に使用する無線リソースブロックを決定する。そして、無線リソースブロック毎に、適応変調処理（Adaptive  modulation）を行い、その結果を送信する。【０００３】
また、従来の無線通信システムにおいては、上記基地局のサービスエリア内に存在する各端末（ＵＥ：User  Equipment）が、受信品質（Ｃ／Ｉ：Carrier  to  noise  power  ratio）を測定し、その測定結果を基地局に対して通知している。したがって、上記基地局内のスケジューラでは、上記物理チャネル分割において、たとえば、特定の端末に対して無線リソースブロックを２つ使用してデータ送信を行う場合、受信品質（Ｃ／Ｉ）の良好な２つの無線リソースブロックに上記特定の端末を割り当て、残りの無線リソースブロックに他の端末を割り当てる。【０００４】
【非特許文献１】“Text  Proposal  on  Adaptive  Modulation  and  Channel  Coding  Rate  Control  for  Frequency  Domain  Scheduling  in  Evolved  UTRA  Downlink”  3GPP  TSG-RAN  WG1  #43,  R1-051307,  November  7-11,2005
【発明の開示】
【発明が解決しようとする課題】
【０００５】
しかしながら、上記従来の技術では、基地局による無線リソース割り当て処理において、符号化後のデータ（符号語）を、そのデータの信頼度に応じて、時間毎および周波数毎に受信品質の異なる複数の無線リソースブロックに割り当てる技術については開示されておらず、システムにおける性能向上およびシステム容量の向上という観点から、さらなる改善の余地がある。【０００６】
本発明は、上記に鑑みてなされたものであって、さらなるシステム性能の向上およびシステム容量の向上を実現可能な通信方法および通信装置を得ることを目的とする。
【課題を解決するための手段】
【０００７】
上述した課題を解決し、目的を達成するために、本発明にかかる通信方法は、広帯域伝送を行う無線通信システムにおいて、送信データ列に対して、列次数が不均一でかつ列次数の高い順に列を配置したパリティ検査行列を使用してＬＤＰＣ符号化を行う場合の通信方法であって、無線送信の単位である無線リソースブロックに対して割り当て可能なデータビット数に応じて、符号語を複数のデータ列に分割する符号語分割ステップと、前記分割後のデータ列のうち、列次数のより高いデータ列を、より品質の良好な無線リソースブロックに割り当てるリソース割り当てステップと、を含むことを特徴とする。【０００８】
また、本発明にかかる通信方法は、マルチキャリア変復調方式を採用する無線通信システムにおいて、送信データ列に対して、列次数が不均一でかつ列次数の高い順に列を配置したパリティ検査行列に変換できる通信路符号化を用いて同符号化を行う場合の通信方法であって、無線送信の単位である無線リソースブロックに対して割り当て可能なデータビット数に応じて、符号語を複数のデータ列に分割する符号語分割ステップと、前記分割後のデータ列のうち、含まれる符号語次数のより高いデータ列を、より品質の良好な無線リソースブロックに割り当てるリソース割り当てステップと、を含むことを特徴とする。
【発明の効果】
【０００９】
この発明によれば、より信頼度の高いデータ列を、より回線品質の良い無線リソースブロックを使用して送信することとしたので、従来技術と比較して、システム性能およびシステム容量をさらに向上させることができる、という効果を奏する。
【図面の簡単な説明】
【００１０】
【図１】図１は、本発明にかかる通信装置の一例として動作する基地局の構成を示す図である。
【図２】図２は、実施の形態１のデータ送信処理を示すフローチャートである。
【図３−１】図３−１は、実施の形態１の無線リソース割り当て処理を示す図である。
【図３−２】図３−２は、実施の形態１の無線リソース割り当て処理を示す図である。
【図４】図４は、図３−２の（ｆ）において示す無線リソース割り当ての詳細処理を示す図である。
【図５】図５は、無線通信システムを構成する基地局および端末の動作を示すフローチャートである。
【図６】図６は、実施の形態２の無線リソース割り当て処理を示す図である。
【図７】図７は、実施の形態２のデータ送信処理を示すフローチャートである。
【図８】図８は、実施の形態３の無線リソース割り当て処理を示す図である。
【図９】図９は、実施の形態３のデータ送信処理を示すフローチャートである。
【図１０】図1０は、実施の形態４の無線リソース割り当て処理を示す図である。
【図１１】図1１は、実施の形態４のデータ送信処理を示すフローチャートである。
【図１２−１】図1２−１は、“reference-signal（パイロット信号）”の構成を示す図である。
【図１２−２】図1２−２は、シンボル配置の一例を示す図である。
【図１２−３】図1２−３は、シンボル配置の一例を示す図である。
【図１２−４】図1２−４は、シンボル配置の一例を示す図である。
【図１２−５】図1２−５は、シンボル配置の一例を示す図である。
【図１２−６】図1２−６は、シンボル配置の一例を示す図である。
【図１３】図1３は、実施の形態５のデータ送信処理を示すフローチャートである。
【図１４】図1４は、実施の形態５のデータ送信処理を示すフローチャートである。
【図１５】図1５は、本発明にかかる通信装置の一例として動作する基地局の構成を示す図である。
【図１６】図1６は、実施の形態６のデータ送信処理を示すフローチャートである。
【図１７】図1７は、実施の形態６のデータ送信処理を示すフローチャートである。
【図１８】図1８は、実施の形態６のデータ送信処理を示すフローチャートである。
【図１９】図1９は、実施の形態６のデータ送信処理を示すフローチャートである。
【図２０】図２０は、実施の形態７の符号化器構成を示す図である。
【符号の説明】
【００１１】
１，１ａ  スケジューラ部（Radio  resource  scheduler）
２，２ａ  ディジタル変調部
３，３ａ−１，３ａ−ｍ  ＣＲＣビット付加部（CRC  bits  generation/attachment）
４，４ａ−１，４ａ−ｍ  通信路符号化部（Channel  coding/encoder）
５，５ａ−１，５ａ−ｍ  ＨＡＲＱ処理部（HARQ  processor）
６，６ａ−１，６ａ−ｍ  データ列分割部（Data  bit  stream  splitter）
７，７ａ−１，７ａ−ｍ  適応変調部（Adaptive  modulator(s)）
１１，１２  再帰的組織畳み込み（ＲＳＣ：Recursive  Systematic  Convolutional）符号化器
【発明を実施するための最良の形態】
【００１２】
以下に、本発明にかかる通信方法および通信装置の実施の形態を図面に基づいて詳細に説明する。なお、この実施の形態によりこの発明が限定されるものではない。【００１３】
実施の形態１．
図１は、本発明にかかる通信装置の一例として動作する基地局の構成を示す図である。本実施の形態においては、マルチキャリア変復調方式の一例として、ＯＦＤＭ（Orthogonal  Frequency  Division  Multiplexing）方式を採用する無線通信システムを想定する。【００１４】
図１において、基地局は、下り回線の無線リソース割り当て処理を実行するスケジューラ部（Radio  resource  scheduler）１と、スケジューラ部１の指示に従ってデータを送信するディジタル変調部２と、を含む構成とし、さらに、ディジタル変調部２は、ＣＲＣビット付加部（CRC  bits  generation/attachment）３，通信路符号化部（Channel  coding/encoder）４，ＨＡＲＱ処理部（HARQ  processor）５，データ列分割部（Data  bit  stream  splitter）６，適応変調部（Adaptive  modulator(s)）７から構成されている。【００１５】
つづいて、上記基地局の動作概要を説明する。まず、基地局においては、スケジューラ部１が、下り送信の無線リソースを各端末に割り当てるために、各端末や上位層等から、無線リソース需要情報（Radio  resource  demands）、無線リソース需要で想定される通信品質（QoS:  Quality  ofService）、上りリンクより報告される下り回線品質情報（Measured  tx  channel  qualities  (CQIs:  Channel  Quality  Indicators)）、下り送受信に関する送達確認情報（Ack/Ncks）などの各情報を受け取る。【００１６】
そして、スケジューラ部１では、効率良く下り伝送を行えるように、上記各情報に基づいて、各無線リソース需要への送信の有無，伝送情報ビット数，通信路符号化の符号化率，ＨＡＲＱ情報，その伝送に用いる無線リソースブロック数，各無線リソースブロックで用いる適応変調方式などを決定する。このスケジューラ部１による決定内容に従って、下り送信が行われる。なお、上記無線リソースブロックについては後述する。【００１７】
ここで、下り送信の具体的な手順を説明する。図２は、本実施の形態の基地局によるデータ送信処理を示すフローチャートである。なお、ディジタル変調部２には、上記無線リソース需要情報の一部として上位層から送られてくる送信データ単位であるＬ２ＰＤＵ（Layer-2  Protocol  Data  Unit）、スケジューラ部１から受け取る通信路符号化の符号化率（Coding  rate），ＨＡＲＱ情報と伝送情報ビット数（HARQ  method  ,  number  of  tx  data  bits），無線リソースブロック数（Number  of  radio  resource  blocks），各無線リソースブロックへ割り当てられるデータビット数とその合計（Total  and  split  tx  data  bits），各無線リソースブロックへ適用される変調方式に関する情報（Modulation  scheme(s)）、が入力される。また、上記変調方式に関する情報は、無線リソースブロックの回線品質情報が付加されて送られてくることとし、たとえば、複数の無線リソースブロックを用いた送信を行う場合には、回線品質の良いブロックから順に与えられる。【００１８】
まず、基地局では、ＣＲＣビット付加部３が、入力データであるＬ２ＰＤＵのデータビット数に応じて、誤り検出のためのＣＲＣビットを付加する（ステップＳ１：CRC  Attachment）。つぎに、通信路符号化部４では、与えられた符号化率に基づいて誤り訂正符号化を行う（ステップＳ２：Channel  coding）。ここでは、列次数（column-degree：列重み）が不均一なパリティ検査行列を用いて、Ｉｒｒｅｇｕｌａｒ−ＬＤＰＣ符号を構成する。なお、ＬＤＰＣ符号化後のビット列（符号語）は、パリティ検査行列の列次数に応じて、たとえば、重みの大きい（列次数が高い）ビットから順に出力する。【００１９】
つぎに、ＨＡＲＱ処理部５では、与えられたＨＡＲＱ情報および伝送情報ビット数に基づいて、上記符号化後のビット列の送信部分（初送データ，再送データ）を選択し、選択したビット列を出力する（ステップＳ３：HARQ  functionality  including  adaptive  coding  rate）。このとき、通信路符号化部４が出力するビット列の順番は変えないようにする。【００２０】
つぎに、データ列分割部６では、与えられた無線リソースブロック数、各無線リソースブロックへ割り当てられるデータビット数、およびパリティ検査行列の列次数（Column  degree）、に基づいて、ＨＡＲＱ処理部５から受け取ったビット列（符号語）を所定数に分割する。なお、この分割処理の詳細については後述する（図４参照）。そして、分割後の各ビット列をそれぞれ重みの大きい順に出力する（ステップＳ４：Column-degree  based  physical  channel  segmentation）。【００２１】
最後に、適応変調部７では、与えられた変調方式に関する情報に基づいて、上記分割後のビット列に対してそれぞれ所定の変調処理を実施する。そして、上記変調方式に関する情報に付加された無線リソースブロックの回線品質（Channel  quality）に従って、上記変調後の各シンボルを、たとえば、重みが大きい程、回線品質の良い無線リソースブロックに割り当てる（ステップＳ５：Adaptive  modulation）。適応変調部７の出力は、図示しない無線周波数送信部（RF  tx  part）へと渡され、ここで、各無線リソースブロックの周波数帯による無線送信が行われる。【００２２】
つづいて、本実施の形態の通信方法を図面に従って詳細に説明する。図３（図３−１，図３−２に相当）は、本実施の形態の無線リソース割り当て処理を示す図である。まず、図３−１の（ａ）は、変復調方式としてＯＦＤＭ方式を採用する場合のシステム領域を示している。本実施の形態では、たとえば、バンド幅：２０ＭＨｚ〜１．２５ＭＨｚおよびＮ本（ｆ1〜ｆN）のサブキャリアを想定し、サブキャリア毎に所定の変調処理（ＱＰＳＫ，１６ＱＡＭ，６４ＱＡＭ等）が行われる。また、図３−１の（ｂ）は、図３−１の（ａ）に示すシステム領域をＭ個の無線リソースブロック（チャンク）に分割した場合の様子を示している。この無線リソースブロックは、規定本数のサブキャリアと規定のシンボル数で特定することができる。【００２３】
つぎに、図３−２の（ｃ）は、上記無線リソースブロック数（＝Ｍ）が“８”の場合の周波数と時間の関係を示している。ここでは、時間（ＴＴＩ：Transmission  Time  Interval）単位の無線リソースブロックが示されており、＃１〜＃８は無線リソースブロックの番号であり、ｔ1，ｔ2，ｔ3，ｔ4…は時間番号である。また、無線リソースブロックは、一例として７ＯＦＤＭシンボルで構成されているものとする。【００２４】
また、図３−２の（ｄ）は、上記基地局のサービスエリア内に存在する端末（ＵＥ）Ａが測定する回線品質（Ｃ／Ｉ：Carrier  to  noise  ratio）を示し、周波数選択性フェージングにより周波数毎に回線品質が変動している様子が示されている。また、図３−２の（ｅ）は、端末Ａが基地局に対して送信する無線リソースブロック毎の回線品質（Ｃ／Ｉ）を示している。【００２５】
また、図３−２の（ｆ）は、端末Ａが無線リソースブロックを２つ使用してデータ送信を行う場合を示している。本実施の形態においては、スケジューラ部１が、回線品質（Ｃ／Ｉ）の良好な２つの無線リソースブロック＃２と＃４に端末Ａを割り当てている。なお、残りの無線リソースブロックには、他の端末Ｂ，Ｃ…（図示せず）を割り当て可能である。また、本実施の形態においては、上記２つの無線リソースブロック＃２と＃４にリソース割り当てを行う場合、たとえば、データ列分割部６にて２つに分割したデータ列のうち、列次数の高い（重みの大きい）ビットを多く含むデータ列を、回線品質の最も高い無線リソースブロック＃２に割り当て（Column-degree  higher）、列次数の低い（重みの小さい）ビットを多く含むデータ列を、次に回線品質が良い無線リソースブロック＃４に割り当てる（Column−degree  lower）。【００２６】
図４は、図３−２の（ｆ）において示す無線リソース割り当ての詳細処理を示す図である。なお、図４においては、通信路符号化部４が、列次数が不均一なパリティ検査行列Ｈと生成行列Ｇ（ＧはＧＨT＝０（Ｔは転置行列）を満たす）とを生成し、この生成行列ＧおよびＣＲＣビット付加部３から受け取るデータ列Ｄに基づいて、符号語Ｃを「Ｃ＝Ｄ×Ｇ」の演算により生成すること、を前提としている。また、上記パリティ検査行列Ｈおよび生成行列Ｇについては、予め生成しておいたものをメモリに持たせておくこととしてもよい。【００２７】
本実施の形態においては、図４に示すように、次数の高い順に列を配置したパリティ検査行列Ｈを生成し、このような特徴を持つパリティ検査行列Ｈを用いて符号語Ｃを生成する。そして、データ列分割部６では、たとえば、スケジューラ部１から指示により、受け取ったデータ列（符号語）を２つに分割する場合、上記符号語Ｃを、図４に示すように、パリティ検査行列Ｈにおける列次数の高い列に対応するビットを多く含むデータ列（次数の高いデータ列）と、列次数の低い列に対応するビットを多く含むデータ列（次数の低いデータ列）と、に分割する。なお、上記列次数の高い列に対応するビットを多く含むデータ列と上記列次数の低い列に対応するビットを多く含むデータ列とを比較すると、前者の方が、信頼度が高いことが既に知られている。そして、上記列次数の高いデータ列を、すなわち、信頼度の高いほうのデータ列を、回線品質の最も高い無線リソースブロックに割り当て（Column-degree  higher）、もう一方のデータ列を、次に回線品質が良い無線リソースブロックに割り当てる（Column−degree  lower）。【００２８】
なお、図４に示すパリティ検査行列Ｈの次数配分については、説明の便宜上、次数３の列と次数２の列が半分ずつの場合を記載しているが、これに限らず、次数配分が不均一でかつ列次数が高い順に配置されていれば、どのようなパリティ検査行列であってもよい。また、データ列分割部６による分割数については、説明の便宜上、２としているが、これに限らず、スケジューラ部１からの指示（各無線リソースブロックへ割り当てられるデータビット数）に応じて、３，４，…であってもよい。分割数が３，４，…の場合は、列次数の高い列に対応するビットを多く含むデータ列程、回線品質の良い無線リソースブロックを割り当てる。【００２９】
つづいて、上記本実施の形態の基地局を含む無線通信システムの動作を、図面に従って説明する。図５は、無線通信システムを構成する基地局（ＮｏｄｅＢ）および端末（ＵＥ）の動作を示すフローチャートである。【００３０】
まず、基地局では、自局に属する端末に対して、下り回線の受信品質（下り回線品質）を測定するための既知信号（「pilot」または「First  reference  symbol」）を送信する（ステップＳ１１：Transmission  of  pilot  /  First  reference  symbol(s)）。そして、既知信号を受信した各端末では、上記既知信号を用いて下り回線品質を測定し（ステップＳ１２：Measurement  of  the  downlink  channel  quality）、その測定結果を基地局に通知する（ステップＳ１３：Report  the  measured  downlink  channel  quality  via  uplink）。基地局では、端末からの下り回線品質を受信しつつ（ステップＳ１５：Collect  the  measured  downlink  channel  quality  reports  from  active  UE(s)）、下り送信の無線リソース需要を上位層等から収集しておく（ステップＳ１４：Collect  the  Radio  resource  demands  on  downlink）。【００３１】
つぎに、基地局では、上記の処理で収集した下り送信の無線リソース需要および下り回線品質に基づいて、各端末に対して下り送信の無線リソース割り当てを行い（ステップＳ１６：Radio  resource  allocation  for  each  UE  on  downlink  transmission）、さらに、各端末用の符号化率や符号化率等の送信パラメータを決定する（ステップＳ１７：Decision  of  modulation  scheme  and  channel  coding  rate  for  each  UE）。この状態で、基地局では、上記図２〜図４に示す処理を実行し、各無線リソースブロックの周波数帯による無線送信を行い（ステップＳ１８，Ｓ１９）、各端末では、下り送信信号を受信する（ステップＳ２０：Reception  of  the  transmitted  symbols  on  downlink）。【００３２】
このように、本実施の形態においては、列次数が不均一でかつ列次数の高い順に列を配置したパリティ検査行列を使用してＬＤＰＣ符号化を行うことを前提とした場合、たとえば、符号語を複数のデータ列に分割し、分割後のデータ列のうち、パリティ検査行列における最大列次数の列に対応するビットを最も多く含むデータ列を、回線品質のより良好な無線リソースブロックに割り当てることとした。すなわち、より信頼度の高いデータ列を、より回線品質の良い無線リソースブロックを使用して送信することとした。これにより、従来技術と比較して誤り訂正能力の高い伝送、すなわち、より効率的な伝送が行えるため、システム性能およびシステム容量をさらに向上させることができる。【００３３】
なお、本実施の形態においては、一例として、下り伝送を行う場合の処理について説明したが、上記符号語の信頼度に基づいた無線リソース割り当て処理については、上り伝送においても同様に適用可能である。【００３４】
実施の形態２．
つづいて、実施の形態２の通信方法について説明する。たとえば、前述の実施の形態１では、各無線リソースブロックにおいて同一の適応変調処理（Adaptive  modulation）を実行することとしたが、実施の形態２においては、無線リソースブロック毎に個別に適応変調処理（Adaptive  modulation）を実行する。なお、実施の形態２の通信方法を実現する基地局の構成については、前述した実施の形態１の図１と同様である。本実施の形態では、前述した実施の形態１と異なる処理について説明する。【００３５】
ここで、実施の形態２の通信方法を図面に従って詳細に説明する。図６は、実施の形態２の無線リソース割り当て処理を示す図である。詳細には、図６の（ａ）は、基地局のサービスエリア内に存在する端末（ＵＥ）Ａが測定する回線品質（Ｃ／Ｉ）を示し、周波数選択性フェージングにより周波数毎に回線品質が変動している様子が示されている。また、図６の（ｂ）は、端末Ａが基地局に対して送信する無線リソースブロック毎の回線品質を示している。本実施の形態では、基地局が、端末Ａに対して割り当て可能な無線リソースブロックを予め限定しておく（図６では＃５〜＃８に限定）。そして、端末は、図６の（ｂ）に示すとおり、無線リソースブロック＃５〜＃８に対応する回線品質を基地局に対して通知する。【００３６】
また、図６の（ｃ）は、端末Ａが無線リソースブロックを２つ使用してデータ送信を行う場合を示している。本実施の形態においては、スケジューラ部１が、端末Ａに割り当て可能な無線リソースブロック＃５〜＃８の中から、回線品質の良好な２つの無線リソースブロック＃５と＃７を割り当てている。また、本実施の形態においては、上記２つの無線リソースブロック＃５と＃７にリソース割り当てを行う場合、たとえば、データ列分割部６にて２つに分割したデータ列のうち、列次数の高い（重みの大きい）ビットを多く含むデータ列を、回線品質のより良好な無線リソースブロック＃５に割り当て（Column-degree  higher）、列次数の低い（重みの小さい）ビットを多く含むデータ列を、次に回線品質が良い無線リソースブロック＃７に割り当てる（Column−degree  lower）。【００３７】
つづいて、実施の形態２の下り送信の具体的な手順を説明する。図７は、実施の形態２の基地局によるデータ送信処理を示すフローチャートである。なお、ステップＳ１〜Ｓ３の処理については、前述した実施の形態１と同様である。【００３８】
データ列分割部６では、たとえば、スケジューラ部１からの指示により、受け取ったデータ列（符号語）を２つに分割する場合、上記符号語Ｃを、図４に示すように、パリティ検査行列Ｈにおける列次数の高い列に対応するビットを多く含むデータ列（次数の高いデータ列）と、列次数の低い列に対応するビットを多く含むデータ列（次数の低いデータ列）と、に分割する。そして、上記列次数の高いデータ列を、すなわち、信頼度の高いほうのデータ列を、限定された無線リソースブロックの中の回線品質のより良好な無線リソースブロックに割り当て、もう一方のデータ列を、限定された無線リソースブロックの中の次に回線品質が良い無線リソースブロックに割り当てる（ステップＳ４ａ）。【００３９】
適応変調部７では、与えられた変調方式に関する情報に基づいて、無線リソースブロック毎に適応変調処理を実施する（ステップＳ５ａ）。なお、本実施の形態においては、無線リソースブロック毎に適応変調処理を実施するので、各無線リソースブロックへ割り当て可能なデータビット数が必ずしも等しくならない場合がある。そこで、本実施の形態においては、データ列分割部６が、指定された無線リソースブロックに割り当て可能なデータビット数で符号語を分割する。【００４０】
以上のように、本実施の形態においては、前述した実施の形態１と同様に、より信頼度の高いデータ列を、より回線品質の良い無線リソースブロックを使用して送信することとした。これにより、実施の形態１と同様の効果を得ることができる。また、本実施の形態においては、さらに、各端末に対して割り当て可能な無線リソースブロックを予め限定しておくこととした。これにより、端末および基地局の処理を軽減することができる。【００４１】
なお、本実施の形態においては、端末Ａに対して割り当て可能な無線リソースブロックを＃５〜＃８としているが、これに限らず、割り当て可能な無線リソースブロックは、システム領域の一部であればどこを指定してもよい。【００４２】
実施の形態３．
つづいて、実施の形態３の通信方法について説明する。たとえば、前述の実施の形態１および２では、端末から送られてくる下り回線品質に基づいて無線リソース割り当てを行っていたが、実施の形態３においては、上記下り回線品質を用いずに無線リソース割り当てを行う。なお、実施の形態３の通信方法を実現する基地局の構成については、前述した実施の形態１の図１と同様である。本実施の形態では、前述した実施の形態１および２と異なる処理について説明する。【００４３】
ここで、実施の形態３の通信方法を図面に従って詳細に説明する。図８は、実施の形態３の無線リソース割り当て処理を示す図である。詳細には、図８の（ａ）は、システム領域および割り当て可能な無線リソースブロックを示している。ここでは、システム領域全部の無線リソースブロック＃１〜＃８が端末Ａに割り当て可能である。【００４４】
また、図８の（ｂ）は、本実施の形態の無線リソース割り当て処理の具体例を示している。たとえば、広帯域システムでは、通常、システム領域の中央付近でキャリア同期をとっている。したがって、システム領域の中央付近についてはキャリア同期が確立されているので（周波数誤差が小さい）、エラー（Effect  of  frequency  control  error）が少ない（Smaller）。一方で、システム領域の端に行くほど、周波数誤差が増大するのでエラーが多くなる（Larger）。すなわち、広帯域システムにおいては、システム領域の中央に近いほど、実運用時の伝送品質が良いといえる。【００４５】
また、図８の（ｃ１），（ｃ２）は、端末Ａが無線リソースブロックを２つ使用してデータ送信を行う場合を示している。本実施の形態においては、スケジューラ部１が、端末Ａに割り当て可能な無線リソースブロック＃１〜＃８の中から、システム領域の中央付近の無線リソースブロックを少なくとも一つ割り当てている。具体的には、たとえば、（ｃ１）のように、２つの無線リソースブロック＃４と＃８にリソース割り当てを行う場合は、データ列分割部６にて２つに分割したデータ列のうち、列次数の高い（重みの大きい）ビットを多く含むデータ列を、システム領域の中央付近の無線リソースブロック＃４に割り当て（Column-degree  higher）、列次数の低い（重みの小さい）ビットを多く含むデータ列を、無線リソースブロック＃８に割り当てる（Column−degree  lower）。また、（ｃ２）のように、２つの無線リソースブロック＃２と＃３にリソース割り当てを行う場合は、データ列分割部６にて２つに分割したデータ列のうち、列次数の高いビットを多く含むデータ列を、システム領域の中央に近い無線リソースブロック＃３に割り当て（Column-degree  higher）、列次数の低いビットを多く含むデータ列を、無線リソースブロック＃２に割り当てる（Column−degree  lower）。【００４６】
つづいて、実施の形態３の下り送信の具体的な手順を説明する。図９は、実施の形態３の基地局によるデータ送信処理を示すフローチャートである。なお、ステップＳ１〜Ｓ３，Ｓ５の処理については、前述した実施の形態１と同様である。【００４７】
データ列分割部６では、たとえば、スケジューラ部１からの指示により、受け取ったデータ列（符号語）を２つに分割する場合、上記符号語Ｃを、図４に示すように、パリティ検査行列Ｈにおける列次数の高い列に対応するビットを多く含むデータ列（次数の高いデータ列）と、列次数の低い列に対応するビットを多く含むデータ列（次数の低いデータ列）と、に分割する。そして、上記列次数の高いデータ列を、すなわち、信頼度の高いほうのデータ列を、システム領域の中央付近の無線リソースブロックに割り当て、もう一方のデータ列を、次にシステム領域の中央に近い無線リソースブロックに割り当てる（ステップＳ４ｂ）。その後、適応変調部７が、与えられた変調方式に関する情報に基づいて、実施の形態１と同様に、適応変調処理を実施する（ステップＳ５）。【００４８】
以上のように、本実施の形態においては、前述した実施の形態１と同様に、より信頼度の高いデータ列を、より品質の良い無線リソースブロックを使用して送信することとした。これにより、実施の形態１と同様の効果を得ることができる。また、本実施の形態においては、さらに、端末から送られてくる下り回線品質によらずに無線リソース割り当て処理を行うこととした。これにより、さらに端末および基地局の処理を軽減することができる。【００４９】
実施の形態４．
つづいて、実施の形態４の通信方法について説明する。実施の形態４においては、前述した実施の形態３に、前述した実施の形態２の処理、すなわち、端末に対して割り当て可能な無線リソースブロックを予め限定する処理、を適用する。なお、実施の形態４の通信方法を実現する基地局の構成については、前述した実施の形態１の図１と同様である。本実施の形態では、前述した実施の形態１〜３と異なる処理について説明する。【００５０】
ここで、実施の形態４の通信方法を図面に従って詳細に説明する。図１０は、実施の形態４の無線リソース割り当て処理を示す図である。詳細には、図１０の（ａ）は、システム領域および割り当て可能な無線リソースブロックを示している。ここでは、システム領域右半分の無線リソースブロック＃５〜＃８が端末Ａに割り当て可能である。また、図１０の（ｂ）は、本実施の形態の無線リソース割り当て処理の具体例を示している。ここでは、システム領域の中央付近（＃５）についてはキャリア同期が取れているので（周波数誤差が小さい）、エラー（Effect  of  frequency  control  error）が少ない（Smaller）。一方で、システム領域の端に行くほど（＃５→＃８）、周波数誤差が増大するのでエラーが多くなる（Larger）。【００５１】
また、図１０の（ｃ１），（ｃ２）は、端末Ａが無線リソースブロックを２つ使用してデータ送信を行う場合を示している。本実施の形態においては、スケジューラ部１が、端末Ａに割り当て可能な無線リソースブロック＃５〜＃８の中から、システム領域の中央付近の無線リソースブロックを少なくとも一つ割り当てている。具体的には、たとえば、（ｃ１）のように、２つの無線リソースブロック＃５と＃８にリソース割り当てを行う場合は、データ列分割部６にて２つに分割したデータ列のうち、列次数の高い（重みの大きい）ビットを多く含むデータ列を、システム領域の中央付近の無線リソースブロック＃５に割り当て（Column-degree  higher）、列次数の低い（重みの小さい）ビットを多く含むデータ列を、無線リソースブロック＃８に割り当てる（Column−degree  lower）。また、（ｃ２）のように、２つの無線リソースブロック＃６と＃７にリソース割り当てを行う場合は、データ列分割部６にて２つに分割したデータ列のうち、列次数の高いビットを多く含むデータ列を、システム領域の中央に近い無線リソースブロック＃６に割り当て（Column-degree  higher）、列次数の低いビットを多く含むデータ列を、無線リソースブロック＃７に割り当てる（Column−degree  lower）。【００５２】
つづいて、実施の形態４の下り送信の具体的な手順を説明する。図１１は、実施の形態４の基地局によるデータ送信処理を示すフローチャートである。なお、ステップＳ１〜Ｓ３，Ｓ５ａの処理については、前述した実施の形態１と同様である。【００５３】
データ列分割部６では、たとえば、スケジューラ部１からの指示により、受け取ったデータ列（符号語）を２つに分割する場合、上記符号語Ｃを、図４に示すように、パリティ検査行列Ｈにおける列次数の高い列に対応するビットを多く含むデータ列（次数の高いデータ列）と、列次数の低い列に対応するビットを多く含むデータ列（次数の低いデータ列）と、に分割する。そして、上記列次数の高いデータ列を、すなわち、信頼度の高いほうのデータ列を、限定された無線リソースブロックの中の、システム領域中央付近の無線リソースブロックに割り当て、もう一方のデータ列を、限定された無線リソースブロックの中の次に中央に近い無線リソースブロックに割り当てる（ステップＳ４ｃ）。その後、適応変調部７が、与えられた変調方式に関する情報に基づいて、実施の形態２と同様に、適応変調処理を実施する（ステップＳ５ａ）。【００５４】
以上のように、本実施の形態においては、前述した実施の形態１と同様に、より信頼度の高いデータ列を、より品質の良い無線リソースブロックを使用して送信することとした。これにより、実施の形態１と同様の効果を得ることができる。また、本実施の形態においては、各端末に対して割り当て可能な無線リソースブロックを予め限定しておき、さらに、端末から送られてくる下り回線品質によらずに無線リソース割り当て処理を行うこととした。これにより、さらに端末および基地局の処理を軽減することができる。【００５５】
実施の形態５．
つづいて、実施の形態５の通信方法について説明する。前述の実施の形態１〜４では、符号語を複数のデータ列に分割し、より信頼度の高いデータ列を、より回線品質の良い無線リソースブロックを使用して送信する処理、について記載したが、実施の形態５では、実施の形態１〜４の処理で得られる無線リソースブロック毎のデータ列をどのように配置するか、を特定している。なお、実施の形態４の通信方法を実現する基地局の構成については、前述した実施の形態１の図１と同様であり、また、対象となる無線リソースブロックの数は１以上の整数とする。本実施の形態では、前述した実施の形態１〜４と異なる処理について説明する。【００５６】
たとえば、図１２−１は、文献：「“Text  proposal  for  7.1.1.2.2(Downlink  reference-signal  structure)”  3GPP  TSG-RAN  WG1  #43,  R1-051599,  November  7-11,2005」で開示されている“reference-signal（パイロット信号）”の構成を示す図であり、詳細には、システム領域（ここでは無線リソースブロック＃１〜＃８を想定）の無線リソースブロック＃２において“reference-signal”が送信されている例を示している。ここでは、１つの無線リソースブロックが、ｆ1〜ｆ8の８サブキャリア，ｔ1〜ｔ8の８シンボルで構成されている。なお、図示のＤは“Data  symbol”を表し、Ｒ1は“First  reference  symbol”を表し、Ｒ2は“Second  reference  symbol”を表す。また、Ｒ1，Ｒ2は、チャネル品質を測定するためのシンボルであり、その周辺は一般的に品質が良い。【００５７】
上記図１２−１を前提として、本実施の形態においては、無線リソースブロック内のシンボル配置を列次数に応じて以下のように規定する。【００５８】
たとえば、Ｒ2が使われていない場合は、図１２−２に示すように、品質の良いＲ1の周辺に列次数の高いシンボル（For  higher  column-degree  symbols）を配置する。そして、それ以外に列次数の低いシンボル（For  lower  column-degree  symbols）を配置する。【００５９】
また、Ｒ1に加えてＲ2も使われている場合には、図１２−３に示すように、品質の良いＲ1，Ｒ2の周辺に列次数の高いシンボル（For  higher  column-degree  symbols）を配置し、それ以外に列次数の低いシンボル（For  lower  column-degree  symbols）を配置する。【００６０】
つづいて、上記図１２−２および図１２−３とは異なるシンボル配置について説明する。【００６１】
たとえば、特定の通信装置（端末，基地局）が１つの無線リソースブロックを使用して間欠的に送信処理を行う場合、この無線リソースブロックにおける両端付近のサブキャリアは、隣接する無線リソースブロックの隣接するサブキャリアから干渉の影響を受けやすい。また、時間方向においても、間欠的に送信処理を行う場合には、アンプ電源のＯＮ，ＯＦＦが発生し、ｔ1，ｔ2，ｔ7，ｔ8あたりについては、動作が安定していない可能性があり、また、前後の無線リソースブロック送信時のタイミングずれ等による影響も受け易い。【００６２】
そこで、本実施の形態においては、たとえば、図１２−４に示すように、無線リソースブロックの中央周辺（品質が良い）に列次数の高いシンボル（For  higher  column-degree  symbols）を配置し、左右上下の端周辺（品質が悪い）に列次数の低いシンボル（For  lower  column-degree  symbols）を配置する。【００６３】
なお、特定の通信装置が、周波数的に隣接する無線リソースブロックを使用して（干渉の影響を受けない状況で）、間欠的に送信処理を行う場合を想定して、たとえば、図１２−５のようなシンボル配置を採用することとしてもよい。具体的には、無線リソースブロックにおける時間方向の中央周辺（品質が良い）に列次数の高いシンボル（For  higher  column-degree  symbols）を配置し、上下の端周辺（品質が悪い）に列次数の低いシンボル（For  lower  column-degree  symbols）を配置する。【００６４】
また、特定の通信装置（端末，基地局）が、１つの無線リソースブロックを使用して連続送信を行う場合を想定して、図１２−６のようなシンボル配置を採用することとしてもよい。具体的には、無線リソースブロックにおける周波数方向の中央周辺（品質が良い）に列次数の高いシンボル（For  higher  column-degree  symbols）を配置し、左右の端周辺（品質が悪い）に列次数の低いシンボル（For  lower  column-degree  symbols）を配置する。【００６５】
また、上記図１２−４，図１２−５，図１２−６に示すシンボル配置を、無線リソースブロックの使用状況に応じて切り替えながら、使い分けることとしてもよい。【００６６】
つづいて、実施の形態５の下り送信の具体的な手順を説明する。図１３および図１４は、実施の形態５の基地局によるデータ送信処理を示すフローチャートであり、詳細には、図１３は、前述の実施の形態１の図２に対応した送信処理を示し、図１４は、前述の実施の形態２の図７に対応した送信処理を示している。【００６７】
たとえば、本実施の形態においては、ステップＳ４の処理により分割された各データ列に対して、上記図１２−２〜図１２−６のうちのいずれか一つのシンボル配置を適用する（ステップＳ３１）。なお、上記ステップＳ３１の処理は、前述した実施の形態３の図９および実施の形態４の図１１に対しても同様に適用可能である。【００６８】
このように、本実施の形態においては、実施の形態１〜４に示す、符号語を複数のデータ列に分割し、より信頼度の高いデータ列を、より回線品質の良い無線リソースブロックを使用して送信する処理、に加えて、さらに、各無線リソースブロックに対して、符号語データ列の信頼度の高さに応じた図１２−２〜図１２−６のうちのいずれか一つのシンボル配置を適用することとした。これにより、システム性能およびシステム容量をさらに向上させることができる。【００６９】
実施の形態６．
つづいて、実施の形態６の通信方法について説明する。前述の実施の形態１〜５では、データが一系統の場合について記載したが、実施の形態６では、データが複数系統の場合について説明する。本実施の形態では、前述した実施の形態１〜５と異なる処理について説明する。【００７０】
図１５は、本発明にかかる通信装置の一例として動作する基地局の構成を示す図である。図１５において、基地局は、下り回線の無線リソース割り当て処理を実行するスケジューラ部（Radio  resource  scheduler）１ａと、スケジューラ部１ａの指示に従ってｍ系統のデータ（ｍは「１≦ｍ≦Ｍ」を満たす整数）を送信するディジタル変調部２ａと、を含む構成とし、さらに、ディジタル変調部２ａは、ＣＲＣビット付加部（CRC  bits  generation/attachment）３ａ−１〜３ａ−ｍ，通信路符号化部（Channel  coding/encoder）４ａ−１〜４ａ−ｍ，ＨＡＲＱ処理部（HARQ  processor）５ａ−１〜５ａ−ｍ，データ列分割部（Data  bit  stream  splitter）６ａ−１〜６ａ−ｍ，適応変調部（Adaptive  modulator(s)）７ａ−１〜７ａ−ｍから構成されている。なお、上記ディジタル変調部２ａは、データの系統単位（たとえば、音声，データ，制御情報等）に独立に、図１に示すディジタル変調部２を備えた構成となっている。【００７１】
つづいて、実施の形態６の下り送信の具体的な手順を説明する。図１６，図１７，図１８，図１９は、それぞれ実施の形態６の基地局によるデータ送信処理を示すフローチャートであり、詳細には、図１６，図１７は、前述の実施の形態１の図２に対応した送信処理を示し、図１８，図１９は、前述の実施の形態２の図７に対応した送信処理を示している。【００７２】
たとえば、図１６，図１７，図１８，図１９においては、データの系統毎に、それぞれ実施の形態１または実施の形態２と同様の処理を実行する（ステップＳ１〜Ｓ５またはステップＳ１〜Ｓ５ａ）。【００７３】
そして、図１６，図１８に示すように、たとえば、各系統に優劣が存在する場合、すなわち、要求されているＱｏＳ（Quality  of  Service）が異なる場合は、より優先度の高いデータ系統を、より回線品質の良い無線リソースブロックに対して順に割り当て、送信する。【００７４】
また、図１７，図１９に示すように、たとえば、データ系統＃１とデータ系統＃２がそれぞれ２つの無線リソースを使用し、かつ、ＱｏＳが同等の場合は、それぞれの系統における列次数の高いビット列を、より回線品質の良い無線リソースブロックに対して割り当て、送信する。【００７５】
このように、本実施の形態においては、データ系統毎に、実施の形態１〜５のいずれか一つに記載のディジタル変調部２を備えることとした。これにより、複数系統のデータを送信する場合であっても、前述した各実施の形態と同様の効果を得ることができる。【００７６】
実施の形態７．
つづいて、実施の形態７の通信方法について説明する。前述の実施の形態１〜６では、用いる通信路符号化として列次数が不均一なパリティ検査行列（以降、単に検査行列と呼ぶ）を使用するＬＤＰＣ符号の場合について記載したが、実施の形態７では、その替わりに、列次数が不均一でかつ列次数の高い順に列を配置した検査行列に変換できる通信路符号化を用いる場合、について説明する。本実施の形態では、前述した実施の形態１〜６と異なる部分である符号化の部分について説明する。【００７７】
図２０は、第３世代携帯電話規格の一つである３ＧＰＰ（3rd  Generation  Partnership  Project）規格のRelease-6で用いられているターボ符号の符号化器の構成を示す図である。このターボ符号は、２つの再帰的組織畳み込み（ＲＳＣ：Recursive  Systematic  Convolutional）符号化器１１，１２とインタリーバ（Interleaver）１３で構成されている。【００７８】
まず、情報系列ｕを下記（１）式とし、図中の２つのＲＳＣ符号化器（encoder）１１および１２の出力系列をそれぞれ下記（２）式および（３）式とする。
ｕ＝（ｕ0，ｕ1，ｕ2，…）
ｕi∈｛０，１｝                                      …（１）【００７９】
【数１】
2007080727.tif 000003
【００８０】
【数２】
2007080727.tif 000004
【００８１】
生成系列は、ＲＳＣ符号化器のメモリ数ｍ（図２０ではＤを指しており、ｍ=３である）＋１で表現できる。たとえば、ＲＳＣ符号化器１１の２つの生成系列は、下記（４）式および（５）式で表すことができる。なお、ＲＳＣ符号化器１２も同じ構成とする。【００８２】
【数３】
2007080727.tif 000005
【００８３】
【数４】
2007080727.tif 000006
【００８４】
したがって、図２０のＲＳＣ符号化器１１では、下記（６）式および（７）式となる。
ｇ(0)＝（１，１，０，１）                      …（６）
ｇ(1)＝（１，０，１，１）                      …（７）【００８５】
また、上記生成系列を生成多項式として表現すると、下記（８）式および（９）式となる。
ｇ(0)（Ｄ）＝１＋Ｄ＋Ｄ3                      …（８）
ｇ(1)（Ｄ）＝１＋Ｄ2＋Ｄ3                      …（９）
なお、Ｄは遅延素子を表す。【００８６】
したがって、図２０のＲＳＣ符号化器１１（ＲＳＣ符号化器１２も同様）を、上記生成多項式を用いた生成行列で表現すると、下記（１０）式となる。【００８７】
【数５】
2007080727.tif 000007
【００８８】
また、多項式表現した検査行列をＨ（Ｄ）とすると、Ｇ（Ｄ）に対応する検査行列Ｈ（Ｄ）は下記（１１）式の条件を満たす必要がある。
Ｇ（Ｄ）ＨT（Ｄ）＝０              …（１１）
なお、ＨT（Ｄ）は行列Ｈ（Ｄ）の転置行列を表す。したがって、下記（１２）式となる。【００８９】
【数６】
2007080727.tif 000008
【００９０】
また、上記（１２）式に示す行列は、１＋Ｄ2＋Ｄ3をかけて下記（１３）式のように変換できる。
Ｈ´（Ｄ）＝（１＋Ｄ＋Ｄ3  １＋Ｄ2＋Ｄ3）        …（１３）【００９１】
また、上記（１３）式に示すＨ´（Ｄ）を２元｛０，１｝の行列に変換すると、下記（１４）式のように表すことができる。【００９２】
【数７】
2007080727.tif 000009
【００９３】
ＲＳＣ符号化器１１に対応する符号語ｃ1は、ｋを情報長とすると、下記（１５）式のように表すことができる。【００９４】
【数８】
2007080727.tif 000010
【００９５】
また、上記Ｈ´を列置換すると、下記（１６）式となる。【００９６】
【数９】
2007080727.tif 000011
【００９７】
したがって、対応する符号語ｃ1´は、下記（１７）式となり、通常のＬＤＰＣ符号の組織符号と同等の系列になる。【００９８】
【数１０】
2007080727.tif 000012
【００９９】
さらに、ＲＳＣ符号化器１２でもインタリーバ１３を介して符号化を行っており、すなわち、情報部分をインタリーブして上記と同様の操作でパリティを生成しているため、本実施の形態において求める不均一なパリティ検査行列Ｈfull´´は、下記（１８）式のように変換することができる。【０１００】
【数１１】
2007080727.tif 000013
【０１０１】
ここでは、上記に示されるように、列次数６と列次数３の不均一なパリティ検査行列に変換することができる。【０１０２】
また、これに対応する符号語は、下記（１９）式となり、符号化率１／３のターボ符号をパリティ検査行列Ｈfull´´に置き換えることができる。【０１０３】
【数１２】
2007080727.tif 000014
【０１０４】
このように、上記（１８）式に示されるパリティ検査行列は、図４と同様に、列次数の分布が不均一であることがわかる。そして、本実施の形態では、前述の実施の形態１〜６と同様に、この検査行列を用いて符号語を生成し、その符号語を複数のデータ列に分割し、分割後のデータ列のうち、パリティ検査行列における最大列次数の列に対応するビットを最も多く含むデータ列を、回線品質のより良好な無線リソースブロックに割り当てることとした。すなわち、より信頼度の高いデータ列を、より回線品質の良い無線リソースブロックを使用して送信することとした。これにより、従来技術と比較して、システム性能およびシステム容量をさらに向上させることができる。【０１０５】
なお、本実施の形態においては、一例として、３ＧＰＰで用いられているターボ符号の場合について説明したが、上記変換処理は、ほとんどの誤り訂正符号・通信路符号化法に適用可能である。すなわち、変換後のパリティ検査行列における列次数が不均一であれば、本実施の形態に記載の通信方法を同様に適用することができる。
【産業上の利用可能性】
【０１０６】
以上のように、本発明にかかる通信方法は、マルチキャリア変復調方式を採用する無線通信システムに有用であり、特に、ＬＤＰＣ符号の特徴を利用して無線リソース割り当て処理を行う通信装置に適している。
【図１】
2007080727.tif 000015
【図２】
2007080727.tif 000016
【図３−１】
2007080727.tif 000017
【図３−２】
2007080727.tif 000018
【図４】
2007080727.tif 000019
【図５】
2007080727.tif 000020
【図６】
2007080727.tif 000021
【図７】
2007080727.tif 000022
【図８】
2007080727.tif 000023
【図９】
2007080727.tif 000024
【図１０】
2007080727.tif 000025
【図１１】
2007080727.tif 000026
【図１２−１】
2007080727.tif 000027
【図１２−２】
2007080727.tif 000028
【図１２−３】
2007080727.tif 000029
【図１２−４】
2007080727.tif 000030
【図１２−５】
2007080727.tif 000031
【図１２−６】
2007080727.tif 000032
【図１３】
2007080727.tif 000033
【図１４】
2007080727.tif 000034
【図１５】
2007080727.tif 000035
【図１６】
2007080727.tif 000036
【図１７】
2007080727.tif 000037
【図１８】
2007080727.tif 000038
【図１９】
2007080727.tif 000039
【図２０】
2007080727.tif 000040
【国際調査報告】
2007080727.tif 000041
2007080727.tif 000042
2007080727.tif 000043
2007080727.tif 000044